【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
デジタル・ビデオ・ディスク（ＤＶＤ）装置に於いてデータを再生する方法であって、
前記データが非ＤＶＤ光学記憶媒体上にＤＶＤフォーマットで記録されるものであり、
前記非ＤＶＤ光学記憶媒体の物理的な種類を特定するステップと、
前記非ＤＶＤ光学記憶媒体上に収められたファイル構造を読み取るステップと、
前記非ＤＶＤ光学記憶媒体上の前記ファイル構造がＤＶＤファイル構造である場合、ＤＶＤビデオ再生ドライバを起動するステップと、
を含む方法。
【請求項２】
前記特定するステップには、焦点距離を調べることによって前記非ＤＶＤ光学記憶媒体の物理的な種類を特定するステップが含まれる、請求項１記載の方法。
【請求項３】
前記特定するステップには、レーザと前記非ＤＶＤ光学記憶媒体の反射面とによって規定される焦点距離を調べることによって、前記非ＤＶＤ光学記憶媒体がコンパクト・ディスク（ＣＤ）であるか否かを特定するステップが含まれる、請求項２記載の方法。
【請求項４】
前記起動するステップには、前記非ＤＶＤ光学記憶媒体上のファイル構造がＣＤファイル構造である場合に、オーディオ再生ドライバを起動するステップが含まれる、請求項３記載の方法。
【請求項５】
前記ＤＶＤ装置がＤＶＤプレーヤである、請求項１記載の方法。
【請求項６】
前記ＤＶＤ装置がＤＶＤレコーダである、請求項１記載の方法。
【請求項７】
光学記憶媒体上にデジタル・ビデオ・ディスク（ＤＶＤ）フォーマットで記録されたデータを、ＤＶＤ装置に於いて、再生できるようにする方法であって、
前記光学記憶媒体の物理的な種類を特定するステップと、
前記光学記憶媒体上に収められたファイル構造を読み取るステップと、
前記光学記憶媒体がコンパクト・ディスク（ＣＤ）であり、且つ、前記光学記憶媒体上の前記ファイル構造がＤＶＤファイル構造である場合、ＤＶＤビデオ再生ドライバを起動するステップと、
を含んでいる方法。
【請求項８】
前記特定するステップには、焦点距離を調べることによって前記光学記憶媒体の物理的な種類を特定するステップが含まれる、請求項７記載の方法。
【請求項９】
前記起動するステップには、前記光学記憶媒体上のファイル構造がＣＤファイル構造である場合に、ＣＤオーディオ再生ドライバを起動するステップが含まれる、請求項７記載の方法。
【請求項１０】
前記起動するステップには、前記光学記憶媒体がビデオＤＶＤである場合に、ＤＶＤビデオ再生ドライバを起動するステップが含まれる、請求項７記載の方法。
【請求項１１】
前記ＤＶＤ装置がＤＶＤプレーヤである、請求項７記載の方法。
【請求項１２】
前記ＤＶＤ装置がＤＶＤレコーダである、請求項７記載の方法。
【請求項１３】
非ＤＶＤ光学記憶媒体上にＤＶＤフォーマットで記録されたデータを再生できるデジタル・ビデオ・ディスク（ＤＶＤ）装置であって、
前記非ＤＶＤ光学記憶媒体の物理的な種類を特定するピックアップ構体と、
ＤＶＤ再生ユニットに結合されたプロセッサと、
を含み、
前記プロセッサが、前記非ＤＶＤ光学記憶媒体上に収められたファイル構造を読み出すようにプログラムされており、また、前記非ＤＶＤ光学記憶媒体が識別可能な非ＤＶＤ光学記憶媒体であり、且つ、前記光学記憶媒体上の前記ファイル構造がＤＶＤファイル構造である場合、ＤＶＤビデオ再生ドライバを起動するようにプログラムされている、
ＤＶＤ装置。
【請求項１４】
前記識別可能な非ＤＶＤ光学記憶媒体がコンパクト・ディスク（ＣＤ）である、請求項１３記載のＤＶＤ装置。
【請求項１５】
複数のデジタル・フォーマットのうちの任意のもので記録されたデータを光学記憶媒体から再生できるデジタル・ビデオ・ディスク（ＤＶＤ）装置であって、
前記光学記憶媒体の物理的な種類を特定するピックアップ構体と、
ＤＶＤプレーヤに結合されたプロセッサと、
を含み、
前記プロセッサが、前記光学記憶媒体上に収められたファイル構造を読み出すようにプログラムされており、また、ＤＶＤビデオ再生ドライバ、ＤＶＤオーディオ再生ドライバ、および、コンパクト・ディスク（ＣＤ）再生ドライバを含んでいるドライバ群から選択された複数の再生ドライバの中から１つの再生ドライバを選択的に起動するようにプログラムされており、前記光学記憶媒体がＣＤであり、且つ、前記光学記憶媒体上のファイル構造がＤＶＤファイル構造である場合、ＤＶＤビデオ再生ドライバが起動される、
ＤＶＤ装置。
【請求項１６】
前記プロセッサが、更に、前記光学記憶媒体がＤＶＤであり、且つ、前記光学記憶媒体上のファイル構造がＣＤファイル構造である場合に、選択的にＣＤ再生ドライバを起動するようにプログラムされている、請求項１５記載のＤＶＤ装置。
【請求項１７】
前記プロセッサが、更に、前記光学記憶媒体がＤＶＤであり、且つ、前記光学記憶媒体上のファイル構造がＤＶＤオーディオ・ファイル構造である場合に、選択的にＤＶＤオーディオ再生ドライバを起動するようにプログラムされている、請求項１５記載のＤＶＤ装置。
【請求項１８】
前記プロセッサが、更に、前記光学記憶媒体がＤＶＤであり、且つ、前記光学記憶媒体上のファイル構造がＤＶＤビデオ・ファイル構造である場合に、選択的にＤＶＤビデオ再生ドライバを起動するようにプログラムされている、請求項１５記載のＤＶＤ装置。 
【手続補正２】
【補正対象書類名】明細書
【補正対象項目名】発明の名称
【補正方法】変更
【補正の内容】
【発明の名称】非ＤＶＤ光学記憶媒体からＤＶＤビット・ストリームを再生するための方法およびＤＶＤ装置
【手続補正３】
【補正対象書類名】明細書
【補正対象項目名】０００２
【補正方法】変更
【補正の内容】
【０００２】
現在、一般消費者は、オーディオ・セグメント、ビデオ・セグメント、或いは、それらの組み合わせを記録する為に、数種類の技術を利用できる。例えば、一般消費者の多くが、このようなセグメントを記録する為に、デジタル・ビデオ・ディスク（ＤＶＤ）或いはコンパクト・ディスク（ＣＤ）のような光学記憶媒体技術を利用している。特に、ＣＤとＤＶＤの両者は、オーディオとビデオを受け取り記憶することが出来る。更に、ＣＤ−ＲＯＭやＣＤ−ＲＷのような記録可能なＣＤは、ＤＶＤフォーマットで記録されたマルチメディア・データを受け取り記憶することが出来る。しかし、ここで注意すべき点は、ＤＶＤフォーマットで記録され、記録可能なＣＤ上に記憶されたマルチメディア・データは、ＤＶＤプレーヤやＤＶＤレコーダでは再生できないことである。これは、現在、ＤＶＤプレーヤとＤＶＤレコーダが、ＤＶＤディスク以外のものに記憶されたＤＶＤフォーマット化データを認識できない為である。従って、プログラム（番組）やイベントをＤＶＤフォーマットで記録しようとする一般消費者は、そのデータをＤＶＤプレーヤやＤＶＤレコーダで再生したい場合、ＤＶＤレコーダを使用して、そのデータを記録可能なＤＶＤディスクに記録する必要がある。
【手続補正４】
【補正対象書類名】明細書
【補正対象項目名】０００４
【補正方法】変更
【補正の内容】
【０００４】
（発明の概要）
本発明は、デジタル・ビデオ・ディスク（ＤＶＤ）装置に於いて、データを再生する方法に関し、該データは、非ＤＶＤ光学記憶媒体上にＤＶＤフォーマットで記録されていることがある。この方法は、非ＤＶＤ光学記憶媒体の物理的な種類を特定するステップと、非ＤＶＤ光学記憶媒体上に収められた（ｃｏｎｔａｉｎｅｄ：入れられた、記録された）ファイル構造を読み取るステップと、非ＤＶＤ光学記憶媒体上のファイル構造がＤＶＤファイル構造である場合、ＤＶＤビデオ再生ドライバを起動するステップと、を含んでいる。一構成例に於いて、上記特定するステップには、焦点距離を調べることによって非ＤＶＤ光学記憶媒体の物理的な種類を特定するステップが含まれる。この焦点距離は、レーザと非ＤＶＤ光学記憶媒体の反射面とによって規定できる。
【手続補正５】
【補正対象書類名】明細書
【補正対象項目名】０００５
【補正方法】変更
【補正の内容】
【０００５】
別の一構成例に於いて、上記起動するステップには、非ＤＶＤ光学記憶媒体上のファイル構造がＣＤファイル構造である場合に、オーディオ再生ドライバを起動するステップが含まれる。また、ＤＶＤ装置としては、ＤＶＤプレーヤ或いはＤＶＤレコーダがある。
【手続補正６】
【補正対象書類名】明細書
【補正対象項目名】０００７
【補正方法】変更
【補正の内容】
【０００７】
一構成例に於いて、上記起動するステップには、光学記憶媒体上のファイル構造がＣＤファイル構造である場合に、ＣＤオーディオ再生ドライバを起動するステップが含まれる。別の一構成例に於いて、上記起動するステップには、光学記憶媒体がビデオＤＶＤである場合に、ＤＶＤビデオ再生ドライバを起動するステップが含まれる。この方法に於いて、ＤＶＤ装置としては、ＤＶＤプレーヤ或いはＤＶＤレコーダがある。
【手続補正７】
【補正対象書類名】明細書
【補正対象項目名】０００８
【補正方法】変更
【補正の内容】
【０００８】
また、本発明は、非ＤＶＤ光学記憶媒体上にＤＶＤフォーマットで記録されたデータを再生することができるデジタル・ビデオ・ディスク（ＤＶＤ）装置に関する。このＤＶＤ装置には、非ＤＶＤ光学記憶媒体の物理的な種類を特定するピックアップ構体と、ＤＶＤ再生ユニットに結合されたプロセッサと、が含まれている。該プロセッサは、非ＤＶＤ光学記憶媒体上に収められたファイル構造を読み出すようにプログラムされており、また、非ＤＶＤ光学記憶媒体が識別可能な非ＤＶＤ光学記憶媒体であり、且つ、光学記憶媒体上のファイル構造がＤＶＤファイル構造である場合に、ＤＶＤビデオ再生ドライバを起動するようにプログラムされている。一構成例に於いて、識別可能な非ＤＶＤ光学記憶媒体としては、コンパクト・ディスク（ＣＤ）がある。
【手続補正８】
【補正対象書類名】明細書
【補正対象項目名】００１０
【補正方法】変更
【補正の内容】
【００１０】
一構成例に於いて、上記プロセッサは、更に、光学記憶媒体がＤＶＤであり、且つ、光学記憶媒体上のファイル構造がＣＤファイル構造である場合に、選択的にＣＤ再生ドライバを起動するようにプログラムされている。また、プロセッサは、更に、光学記憶媒体がＤＶＤであり、且つ、光学記憶媒体上のファイル構造がＤＶＤオーディオ・ファイル構造である場合に、選択的にＤＶＤオーディオ再生ドライバを起動するようにプログラムされている。また、プロセッサは、更に、光学記憶媒体がＤＶＤであり、且つ、光学記憶媒体上のファイル構造がＤＶＤビデオ・ファイル構造である場合に、選択的にＤＶＤビデオ再生ドライバを起動するようにプログラムされている。
特許請求の範囲と実施例との対応関係を実施例で使われている参照符号を用いて示すと以下の通りである。
（請求項１）
デジタル・ビデオ・ディスク（ＤＶＤ）装置（１００）に於いてデータを再生する方法（２００）であって、
前記データが非ＤＶＤ光学記憶媒体上にＤＶＤフォーマットで記録されるものであり、
前記非ＤＶＤ光学記憶媒体の物理的な種類を特定するステップ（２１２）と、
前記非ＤＶＤ光学記憶媒体上に収められたファイル構造を読み取るステップ（２１４）と、
前記非ＤＶＤ光学記憶媒体上の前記ファイル構造がＤＶＤファイル構造である場合、ＤＶＤビデオ再生ドライバを起動するステップ（２１６）と、
を含む方法。
（請求項２）
前記特定するステップ（２１２）には、焦点距離を調べることによって前記非ＤＶＤ光学記憶媒体の物理的な種類を特定するステップが含まれる、請求項１記載の方法。
（請求項３）
前記特定するステップ（２１２）には、レーザと前記非ＤＶＤ光学記憶媒体の反射面とによって規定される焦点距離を調べることによって、前記非ＤＶＤ光学記憶媒体がコンパクト・ディスク（ＣＤ）であるか否かを特定するステップが含まれる、請求項２記載の方法。
（請求項４）
前記起動するステップ（２１６）には、前記非ＤＶＤ光学記憶媒体上のファイル構造がＣＤファイル構造である場合に、オーディオ再生ドライバを起動するステップが含まれる、請求項３記載の方法。
（請求項５）
前記ＤＶＤ装置（１００）がＤＶＤプレーヤである、請求項１記載の方法。
（請求項６）
前記ＤＶＤ装置（１００）がＤＶＤレコーダである、請求項１記載の方法。
（請求項７）
光学記憶媒体（１１２）上にデジタル・ビデオ・ディスク（ＤＶＤ）フォーマットで記録されたデータを、ＤＶＤ装置に於いて、再生できるようにする方法であって、
前記光学記憶媒体の物理的な種類を特定するステップ（２１２）と、
前記光学記憶媒体上に収められたファイル構造を読み取るステップ（２１４）と、
前記光学記憶媒体がコンパクト・ディスク（ＣＤ）であり、且つ、前記光学記憶媒体上の前記ファイル構造がＤＶＤファイル構造である場合、ＤＶＤビデオ再生ドライバを起動するステップ（２１６）と、
を含んでいる方法。
（請求項８）
前記特定するステップ（２１２）には、焦点距離を調べることによって前記光学記憶媒体（１１２）の物理的な種類を特定するステップが含まれる、請求項７記載の方法。
（請求項９）
前記起動するステップ（２１６）には、前記光学記憶媒体（１１２）上のファイル構造がＣＤファイル構造である場合に、ＣＤオーディオ再生ドライバを起動するステップが含まれる、請求項７記載の方法。
（請求項１０）
前記起動するステップ（２１６）には、前記光学記憶媒体（１１２）がビデオＤＶＤである場合に、ＤＶＤビデオ再生ドライバを起動するステップが含まれる、請求項７記載の方法。
（請求項１１）
前記ＤＶＤ装置（１００）がＤＶＤプレーヤである、請求項７記載の方法。
（請求項１２）
前記ＤＶＤ装置（１００）がＤＶＤレコーダである、請求項７記載の方法。
（請求項１３）
非ＤＶＤ光学記憶媒体上にＤＶＤフォーマットで記録されたデータを再生できるデジタル・ビデオ・ディスク（ＤＶＤ）装置であって、
前記非ＤＶＤ光学記憶媒体（１１２）の物理的な種類を特定するピックアップ構体（１１０）と、
ＤＶＤ再生ユニットに結合されたプロセッサ（１１４）と、
を含み、
前記プロセッサ（１１４）が、前記非ＤＶＤ光学記憶媒体（１１２）上に収められたファイル構造を読み出すように（２１４）プログラムされており、また、前記非ＤＶＤ光学記憶媒体が識別可能な非ＤＶＤ光学記憶媒体（１１２）であり、且つ、前記光学記憶媒体上の前記ファイル構造がＤＶＤファイル構造である場合、ＤＶＤビデオ再生ドライバを起動するように（２１６）プログラムされている、
ＤＶＤ装置。
（請求項１４）
前記識別可能な非ＤＶＤ光学記憶媒体（１１２）がコンパクト・ディスク（ＣＤ）である、請求項１３記載のＤＶＤ装置。
（請求項１５）
複数のデジタル・フォーマットのうちの任意のもので記録されたデータを光学記憶媒体から再生できるデジタル・ビデオ・ディスク（ＤＶＤ）装置であって、
前記光学記憶媒体（１１２）の物理的な種類を特定するピックアップ構体（１１０）と、
ＤＶＤプレーヤに結合されたプロセッサ（１１４）と、
を含み、
前記プロセッサ（１１４）が、前記光学記憶媒体（１１２）上に収められたファイル構造を読み出すようにプログラムされており、また、ＤＶＤビデオ再生ドライバ、ＤＶＤオーディオ再生ドライバ、および、コンパクト・ディスク（ＣＤ）再生ドライバを含んでいるドライバ群から選択された複数の再生ドライバの中から１つの再生ドライバを選択的に起動するように（２１６）プログラムされており、前記光学記憶媒体がＣＤであり、且つ、前記光学記憶媒体上のファイル構造がＤＶＤファイル構造である場合、ＤＶＤビデオ再生ドライバが起動される、
ＤＶＤ装置。
（請求項１６）
前記プロセッサ（１１４）が、更に、前記光学記憶媒体（１１２）がＤＶＤであり、且つ、前記光学記憶媒体（１１２）上のファイル構造がＣＤファイル構造である場合に、選択的にＣＤ再生ドライバを起動するように（２１６）プログラムされている、請求項１５記載のＤＶＤ装置。
（請求項１７）
前記プロセッサ（１１４）が、更に、前記光学記憶媒体（１１２）がＤＶＤであり、且つ、前記光学記憶媒体上のファイル構造がＤＶＤオーディオ・ファイル構造である場合に、選択的にＤＶＤオーディオ再生ドライバを起動するように（２１６）プログラムされている、請求項１５記載のＤＶＤ装置。
（請求項１８）
前記プロセッサ（１１４）が、更に、前記光学記憶媒体（１１２）がＤＶＤであり、且つ、前記光学記憶媒体（１１２）上のファイル構造がＤＶＤビデオ・ファイル構造である場合に、選択的にＤＶＤビデオ再生ドライバを起動するように（２１６）プログラムされている、請求項１５記載のＤＶＤ装置。 
【手続補正９】
【補正対象書類名】明細書
【補正対象項目名】００１２
【補正方法】変更
【補正の内容】
【００１２】
また、マイクロプロセッサ１１４には、１つ或いは複数の再生ドライバが含まれている。例えば、マイクロプロセッサ１１４には、ＤＶＤビデオ再生ドライバ、ＤＶＤオーディオ再生ドライバ、および、ＣＤ再生ドライバが含まれている。尚、本発明はこの構成に限定されるものではなく、ＤＶＤ装置１００には、その他の適切な任意の種類の再生ドライバを組み込むことが出来る。また、マイクロプロセッサ１１４が実行する従来の動作のための適切なソフトウェア、或いは、ファームウェアが設けられている。更に、本発明の構成に従うマイクロプロセッサ１１４用のプログラム・ルーチンが設定されている。
【手続補正１０】
【補正対象書類名】明細書
【補正対象項目名】００１４
【補正方法】変更
【補正の内容】
【００１４】
非ＤＶＤ光学記憶媒体からＤＶＤビット・ストリームを再生する
図２のフローチャート２００は、データが非ＤＶＤ光学記憶媒体上にＤＶＤフォーマットで記録されている場合に、そのデータをＤＶＤ装置に於いて再生する１つの方法を示している。一構成例に於いて、ＤＶＤ装置としては、ＤＶＤプレーヤ、或いは、ＤＶＤレコーダがある。ステップ２１０に於いて、１つの光学記憶媒体を受け入れる。この光学記憶媒体としては、例えば、ＤＶＤ、或いは、ＣＤがある。尚、本発明はこれらの例に限定されるものではなく、光学ディスク媒体が識別可能な光学記憶媒体である限り、その他の適切な種類の記憶媒体を使用できる。ステップ２１２に於いて、光学記憶媒体の物理的な種類が特定される。一構成例に於いて、この特定するステップは、焦点距離を調べることによって実行できる。この焦点距離は、レーザと光学記憶媒体の反射面とによって規定できる。例えば、ＣＤについての焦点距離は、ＤＶＤについての焦点距離と違う。この違いによって、ＣＤとＤＶＤとを互いに区別することができる。尚、本発明は、この特定の光学記憶媒体の区別方法に限定されるものではなく、その他の適切な技術を使用してもよい。
【手続補正１１】
【補正対象書類名】明細書
【補正対象項目名】００１５
【補正方法】変更
【補正の内容】
【００１５】
ステップ２１４に於いて、光学記憶媒体上に収められたファイル構造が読み取られて、その光学記憶媒体の論理的な種類が特定される。このプロセスによって、光学記憶媒体の論理的な種類を特定することができる。例えば、ファイル構造中のディレクトリ構造と１つ或いは複数のファイル名を読み取って、その光学記憶媒体の論理的な種類を特定することができる。本発明は、この特定の例に限定されるものではなく、その他の適切な光学記憶媒体の論理的な種類を特定する方法を使用してもよく、また、その他の適切なファイル構造を読み取って、本発明を実施してもよい。光学記憶媒体の論理的な種類が特定されると、ステップ２１６に於いて、適切な再生ドライバが起動される。
【手続補正１２】
【補正対象書類名】明細書
【補正対象項目名】００１６
【補正方法】変更
【補正の内容】
【００１６】
一構成例に於いて、光学記憶媒体が非ＤＶＤ光学記憶媒体であり、且つ、その非ＤＶＤ光学記憶媒体上のファイル構造がＤＶＤファイル構造である場合、ＤＶＤビデオ再生ドライバが起動して、その非ＤＶＤ光学記憶媒体上に記録されたＤＶＤビット・ストリームを再生する。この非ＤＶＤ光学記憶媒体は、例えば、ＤＶＤビット・ストリームが記録されたＣＤである。このように、本発明によれば、ＤＶＤレコーダ、或いは、ＤＶＤプレーヤのようなＤＶＤ装置が、ＣＤ上にＤＶＤフォーマットで記録されたデータを再生できる。また、非ＤＶＤ光学記憶媒体がＣＤであり、且つ、ファイル構造がＣＤファイル構造である場合、ＣＤオーディオ再生ドライバが起動される。また、本発明によれば、光学記憶媒体がＤＶＤである場合、適切な再生ドライバが起動される。例えば、光学記憶媒体がＤＶＤであり、且つ、ファイル構造がＤＶＤビデオ・ファイル構造である場合、ＤＶＤビデオ再生ドライバが起動される。また、ＤＶＤ上のファイル構造がＤＶＤオーディオ・ファイル構造である場合、ＤＶＤオーディオ再生ドライバが起動される。尚、本発明は、これらの例に限定されるものではなく、その他の適切な再生ドライバが、データを再生すべき光学記憶媒体の物理的な種類および論理的な種類に基づいて、起動するように構成できる。ステップ２１８に於いて、フローチャート２００が終了する。